(57)【要約】【課題】フロントキャビネットとリアキャビネットとの係合を解除するリワーク作業を容易に行うことが可能な表示装置を提供する。【解決手段】このテレビジョン装置（表示装置）１００は、液晶セル１１の周縁を取り囲む額縁部２１と、額縁部２１の外方向端部に沿って延びる外縁部２２と、外縁部２２から内方向に離間した額縁部２１の位置から奥行き方向に延びるとともに係合部２３ｂを有する突出部２３とを含むフロントキャビネット２と、突出部２３の係合部２３ｂが挿入され、フロントキャビネット２の係合部２３ｂが係合する貫通孔３２を含むリアキャビネット３とを備え、フロントキャビネット２の係合部２３ｂは、貫通孔３２内に挿入され、貫通孔３２を介して外側に露出された面２３ｃが押圧されることにより、フロントキャビネット２の突出部２３の係合部２３ｂとリアキャビネット３の貫通孔３２との係合を解除可能に構成されている。【選択図】図６
2015149653.tif 000002
【特許請求の範囲】
【請求項１】
前面に表示面を有する表示部と、
前記表示面の周縁を取り囲む枠状の額縁部と、前記額縁部の前記表示部側とは逆側の外方向端部に沿って延びる外縁部と、前記外縁部から前記表示部側の内方向に離間した前記額縁部の位置から奥行き方向に延びるとともに係合部を有する突出部とを含むフロントキャビネットと、
前記突出部の先端部が挿入される貫通孔と、前記フロントキャビネットの前記突出部の前記係合部が係合する被係合部とを含むリアキャビネットとを備え、
前記フロントキャビネットの前記突出部の先端部は、前記貫通孔内に挿入されるとともに、前記貫通孔を介して外側に露出された前記先端部が押圧されることにより、前記フロントキャビネットの前記突出部の前記係合部と前記リアキャビネットの前記被係合部との係合を解除可能に構成されている、表示装置。
【請求項２】
前記フロントキャビネットの前記突出部は、前記奥行き方向に延びるように形成され、前記奥行き方向に直交する前記内方向に撓み変形可能なように構成されている、請求項１に記載の表示装置。
【請求項３】
前記リアキャビネットには、前記フロントキャビネットの前記額縁部側から前記奥行き方向に向かうにつれて内側に傾斜する傾斜部が設けられているとともに、前記傾斜部に、前記貫通孔が設けられている、請求項１または２に記載の表示装置。
【請求項４】
前記フロントキャビネットの前記突出部は、前記リアキャビネットの背面部の内側表面に沿って延びる第１リブ部を有し、前記第１リブ部によって、前記リアキャビネットの前記貫通孔を内側から覆うように構成されている、請求項１〜３のいずれか１項に記載の表示装置。
【請求項５】
前記フロントキャビネットの前記第１リブ部は、前記リアキャビネットの内側表面に当接することにより、前記フロントキャビネットの前記突出部の先端部の外側表面と前記リアキャビネットの前記貫通孔の周囲の外側表面とが略面一となるように位置決め可能に構成されている、請求項４に記載の表示装置。
【請求項６】
前記フロントキャビネットの前記突出部の先端部は、前記リアキャビネットの前記貫通孔を略塞ぐように構成されている、請求項１〜５のいずれか１項に記載の表示装置。
【請求項７】
前記被係合部は、前記リアキャビネットの前記貫通孔の内面からなる第１被係合部を含み、
前記フロントキャビネットの前記突出部の前記係合部は、前記リアキャビネットの前記貫通孔の内面からなる前記第１被係合部に係合する第１係合部を含む、請求項１〜６のいずれか１項に記載の表示装置。
【請求項８】
前記リアキャビネットは、内側表面から前記貫通孔の内面と連結するように突出して延びる当接面を有する第２リブ部を有し、
前記フロントキャビネットの前記突出部の前記第１係合部は、前記リアキャビネットの前記貫通孔の内面と前記第２リブ部の当接面とにより構成された前記第１被係合部に係合するように構成されている、請求項７に記載の表示装置。
【請求項９】
前記被係合部は、前記リアキャビネットの側面部から前記表示部側の内方向に突出する第２被係合部を含み、
前記フロントキャビネットの前記突出部の前記係合部は、前記リアキャビネットの前記第２被係合部に係合する孔状の第２係合部を含む、請求項１〜６のいずれか１項に記載の表示装置。
【発明の詳細な説明】
【技術分野】
【０００１】
この発明は、表示装置に関し、特に、フロントキャビネットおよびリアキャビネットを備える表示装置に関する。
【背景技術】
【０００２】
従来、フロントキャビネットおよびリアキャビネットを備える表示装置が知られている（たとえば、特許文献１参照）。
【０００３】
上記特許文献１には、表示部と、表示部の周縁部を取り囲むフロントキャビネットと、表示部およびフロントキャビネットの後側を覆うリアキャビネットとを備えた表示装置が開示されている。フロントキャビネットは、表示部の周縁部を取り囲む枠状部分（いわゆる額縁領域）の側面（いわゆる外縁部）にリアキャビネットに係合させるための開口を有している。また、リアキャビネットは、側面にフロントキャビネットの開口に係合するつめ部を有している。そして、リアキャビネットのつめ部をフロントキャビネットの開口に係合させることにより、フロントキャビネットが前後方向に固定されている。なお、係合は、つめ部を押圧することにより解除可能である。
【先行技術文献】
【特許文献】
【０００４】
【特許文献１】特開２００１−１９４６４９号公報
【発明の概要】
【発明が解決しようとする課題】
【０００５】
しかしながら、上記特許文献１では、フロントキャビネットとリアキャビネットとを係合させる構成（すなわちフロントキャビネットの開口およびリアキャビネットのつめ部）がそれぞれ側面に形成されているために、フロントキャビネットとリアキャビネットとの係合を解除させる取外作業（リワーク作業）において、作業者がそれぞれの側面側からつめ部の位置を確認して作業しなければならず、作業性が悪いという問題点がある。特に大型の表示装置となると、作業者の移動が必要となり手間である。
【０００６】
この発明は、上記のような課題を解決するためになされたものであり、この発明の１つの目的は、フロントキャビネットとリアキャビネットとの係合を解除するリワーク作業を容易に行うことが可能な表示装置を提供することである。
【課題を解決するための手段】
【０００７】
この発明の一の局面による表示装置は、前面に表示面を有する表示部と、表示面の周縁を取り囲む枠状の額縁部と、額縁部の表示部側とは逆側の外方向端部に沿って延びる外縁部と、外縁部から表示部側の内方向に離間した額縁部の位置から奥行き方向に延びるとともに係合部を有する突出部とを含むフロントキャビネットと、突出部の先端部が挿入される貫通孔と、フロントキャビネットの突出部の係合部が係合する被係合部とを含むリアキャビネットとを備え、フロントキャビネットの突出部の先端部は、貫通孔内に挿入されるとともに、貫通孔を介して外側に露出された先端部が押圧されることにより、フロントキャビネットの突出部の係合部とリアキャビネットの被係合部との係合を解除可能に構成されている。
【０００８】
この発明の一の局面による表示装置では、上記のように、フロントキャビネットの係合部を有する突出部を、フロントキャビネットの外縁部から表示部側の内方向に離間した額縁部の位置から奥行き方向に延びるように設け、フロントキャビネットの突出部の先端部を、貫通孔内に挿入されるとともに、貫通孔を介して外側に露出された先端部が押圧されることにより、フロントキャビネットの突出部の係合部とリアキャビネットの被係合部との係合を解除可能なように構成することによって、突出部が外縁部から表示部側の内方向に離間した額縁部の位置から奥行き方向に延びるので、リアキャビネットの側面側ではなく、奥行き方向側（表示装置の後方側）に全ての貫通孔を配置することができる。これにより、作業者がリアキャビネットの背面側から容易にフロントキャビネットの突出部の先端部の位置を目視により把握しつつ係合解除作業を行うことができるので、係合を解除するリワーク作業を容易に行うことができる。
【０００９】
上記一の局面による表示装置において、好ましくは、フロントキャビネットの突出部は、奥行き方向に延びるように形成され、奥行き方向に直交する内方向に撓み変形可能なように構成されている。このように構成すれば、フロントキャビネットの突出部を奥行き方向と直交する方向に押圧して撓み変形させることにより、容易に、フロントキャビネットの突出部の係合部とリアキャビネットの被係合部との係合を解除することができる。
【００１０】
上記一の局面による表示装置において、好ましくは、リアキャビネットには、フロントキャビネットの額縁部側から奥行き方向に向かうにつれて内側に傾斜する傾斜部が設けられているとともに、傾斜部に、貫通孔が設けられている。このように構成すれば、作業者がリアキャビネットの背面側から突出部の先端を視認可能な状態にしながら、作業者が奥行き方向と直交する方向からフロントキャビネットの突出部の先端部を押圧し易くすることができる。
【００１１】
上記一の局面による表示装置において、好ましくは、フロントキャビネットの突出部は、リアキャビネットの背面部の内側表面に沿って延びる第１リブ部を有し、第１リブ部によって、リアキャビネットの貫通孔を内側から覆うように構成されている。このように構成すれば、リアキャビネットの貫通孔が第１リブ部によって、内側から覆われるので、貫通孔を介した表示装置の内部からの光漏れや、表示装置の外部からのごみの侵入を防止することができる。
【００１２】
この場合、好ましくは、フロントキャビネットの第１リブ部は、リアキャビネットの内側表面に当接することにより、フロントキャビネットの突出部の先端部の外側表面とリアキャビネットの貫通孔の周囲の外側表面とが略面一となるように位置決め可能に構成されている。このように構成すれば、フロントキャビネットの突出部の先端部の外側表面とリアキャビネットの貫通孔の周囲の外側表面とが略面一となるので、段差が発生するのを抑制することができる。
【００１３】
上記一の局面による表示装置において、好ましくは、フロントキャビネットの突出部の先端部は、リアキャビネットの貫通孔を略塞ぐように構成されている。このように構成すれば、フロントキャビネットの突出部の先端部によって、リアキャビネットの貫通孔が外側から略塞がれるので、貫通孔を介した表示装置の内部からの光漏れや、表示装置の外部からのごみの侵入を抑制することができる。
【００１４】
上記一の局面による表示装置において、好ましくは、被係合部は、リアキャビネットの貫通孔の内面からなる第１被係合部を含み、フロントキャビネットの突出部の係合部は、リアキャビネットの貫通孔の内面からなる第１被係合部に係合する第１係合部を含む。このように構成すれば、第１被係合部を貫通孔の内面とし、第１被係合部に係合する第１係合部をフロントキャビネットの突出部の係合部とする簡易な構成で、リワーク作業を容易に行うことができる。
【００１５】
この場合、好ましくは、リアキャビネットは、内側表面から貫通孔の内面と連結するように突出して延びる当接面を有する第２リブ部を有し、フロントキャビネットの突出部の第１係合部は、リアキャビネットの貫通孔の内面と第２リブ部の当接面とにより構成された第１被係合部に係合するように構成されている。このように構成すれば、リアキャビネットの貫通孔の内面だけでなく、第２リブ部の当接面にもフロントキャビネットの突出部の第１係合部が係合するので、より大きな係り量を確保することができ、その結果、係合状態を安定させることができる。
【００１６】
上記一の局面による表示装置において、好ましくは、被係合部は、リアキャビネットの側面部から表示部側の内方向に突出する第２被係合部を含み、フロントキャビネットの突出部の係合部は、リアキャビネットの第２被係合部に係合する孔状の第２係合部を含む。このように構成すれば、第２被係合部をリアキャビネットの側面部から表示部側の内方向に突出させ、第２被係合部に係合する第２係合部を孔状とする簡易な構成で、リワーク作業を容易に行うことができる。
【発明の効果】
【００１７】
本発明によれば、上記のように、フロントキャビネットとリアキャビネットとの係合を解除するリワーク作業を容易に行うことが可能な表示装置を提供することができる。
【図面の簡単な説明】
【００１８】
【図１】本発明の第１実施形態によるテレビジョン装置を前方から見た全体斜視図である。
【図２】本発明の第１実施形態によるテレビジョン装置を後方から見た全体斜視図である。
【図３】本発明の第１実施形態によるテレビジョン装置を後方から見た分解斜視図である。
【図４】本発明の第１実施形態によるフロントキャビネットの部分拡大図である。
【図５】本発明の第１実施形態によるテレビジョン装置の係合部の部分拡大図である。
【図６】突出部を説明するための、図２の５００−５００線に沿ったテレビジョン装置の模式的な拡大断面図である。
【図７】本発明の第１実施形態のフロントキャビネットとリアキャビネットとの係合を解除する途中の状態を示した模式図である。
【図８】本発明の第２実施形態によるフロントキャビネットの部分拡大図である。
【図９】本発明の第２実施形態によるテレビジョン装置の模式的な拡大断面図である。
【図１０】本発明の第３実施形態によるテレビジョン装置の模式的な拡大断面図である。
【発明を実施するための形態】
【００１９】
以下、本発明の実施形態を図面に基づいて説明する。
【００２０】
（第１実施形態）
図１〜図７を参照して、本発明の第１実施形態によるテレビジョン装置１００の構成について説明する。なお、テレビジョン装置１００は、本発明の「表示装置」の一例である。
【００２１】
本発明の第１実施形態によるテレビジョン装置１００は、図１および図２に示すように、表示モジュール１と、表示モジュール１を収容するフロントキャビネット（前側筐体）２およびリアキャビネット（後側筐体）３とを備えている。また、これら表示モジュール１、フロントキャビネット（前側筐体）２およびリアキャビネット（後側筐体）３は、スタンド部材４により支持されている。
【００２２】
図３に示すように、表示モジュール１は、前面に表示面１１ａ（図１参照）を有する液晶セル１１と、液晶セル１１を保持するモールドフレーム１２と、各種の光学シート１３と、反射シート１４と、光源部１５と、リアフレーム１６とを含んでいる。フロントキャビネット２は、表示モジュール１の周縁部を前面側から覆うように設けられ、リアフレーム１６に固定されている。また、リアキャビネット３（図１および図２参照）は、表示モジュール１（リアフレーム１６）の背面側を覆うように設けられ、フロントキャビネット２に固定されている。液晶セル１１は、本発明の「表示部」の一例である。なお、図３では、リアキャビネット３の図示を省略している。以下では、テレビジョン装置１００の表示面１１ａ側（図１参照）を前方（Ｙ１方向）とし、前方の逆方向を後方または奥側（Ｙ２方向）として説明し、この前方および後方に沿う方向を奥行き方向（Ｙ方向）とする。また、この奥行き方向と直交する方向（表示面１１ａに沿う上下のＺ方向および左右のＸ方向）を側方という。また、側方のうち、テレビジョン装置１００の内側から外側に向かう方向を外方向、外方向の逆方向を内方向という。
【００２３】
図３に示すように、表示モジュール１の液晶セル１１は、モールドフレーム１２の前面側に保持されている。モールドフレーム１２は、樹脂製の枠状部材であり、液晶セル１１の他、背面側に光学シート１３を保持する。モールドフレーム１２は、フロントキャビネット２の内側に配置される。光学シート１３は、拡散板やその他の機能性シートなどであり、複数設けられている。反射シート１４は、光学シート１３の背面側に配置され、光源部１５から出射された光を反射シート１４側に反射させるように構成されている。光源部１５は、複数のＬＥＤからなる光源１５ａを含む。個々の光源１５ａは、反射シート１４の後方から開口１４ａを通過して反射シート１４の前側に配置される。テレビジョン装置１００は、光源部１５が液晶セル１１の背面側に配置された、いわゆる直下型照明タイプの液晶テレビジョン装置である。
【００２４】
リアフレーム１６は、板金製であり、表示モジュール１の後側を覆うように形成されている。このリアフレーム１６には、フロントキャビネット２およびリアキャビネット３や、チューナ部（図示せず）を含む回路基板（図示せず）などが取り付け固定される。また、リアフレーム１６の外周縁部には、フロントキャビネット２を固定するためのねじ孔１６ａが設けられている。
【００２５】
図１に示すように、フロントキャビネット２は、樹脂成型品であり、全体として表示モジュール１に対応する矩形枠状に形成されている。また、図３および図４に示すように、フロントキャビネット２は、額縁部２１（図１参照）と、外縁部２２と、突出部２３と、ねじ取付部２４とを含んでいる。額縁部２１は、表示面１１ａ（表示モジュール１）の周縁を取り囲むように形成されている。また、外縁部２２は、額縁部２１の液晶セル１１側とは逆側の外方向端部に沿って額縁部２１が延びる方向に延びるように形成されている。また、突出部２３は、外縁部２２から液晶セル１１側の内方向に離間した額縁部２１の位置から奥行き方向（Ｙ２方向）に延びるように形成されている。また、ねじ取付部２４は、リアフレーム１６のねじ孔１６ａに対してねじ９０により螺合可能なように構成されている。
【００２６】
また、図３に示すように、フロントキャビネット２の突出部２３は、額縁部２１の下辺を除く３辺に、複数ずつ形成されている。第１実施形態では、突出部２３は、額縁部２１の左右の各辺にそれぞれ３つずつ、額縁部２１の上辺に５つが互いに間隔を隔てて配置されている。したがって、フロントキャビネット２は、左右側面の各３カ所と、上側側面の５カ所との合計１１カ所に設けられている。これらの突出部２３は同様の構成を有するので、以下では、図３および図４の符号Ｐに示したＸ２方向側の突出部２３について詳細に説明する。
【００２７】
図４および図６に示すように、フロントキャビネット２の突出部２３は、額縁部２１に接続される平板部２３ａと、平板部２３ａの先端部に形成される係合部２３ｂとから構成されている。また、突出部２３は、奥行き方向（Ｙ方向）に直交する内方向に撓み変形可能（図７参照）なように構成されている。すなわち、図６では、突出部２３は、Ｘ１方向側に撓み変形可能なように構成されている。また、係合部２３ｂは、傾斜した面２３ｃと外方向（Ｘ２方向）に延びる面２３ｄとを含む三角形状に形成されている。なお、係合部２３ｂは、本発明の「第１係合部」の一例である。
【００２８】
また、図６に示すように、フロントキャビネット２の突出部２３は、リアキャビネット３の背面部３１の内側表面３１ａに沿って延びるリブ部２３ｅを有している。なお、リブ部２３ｅは、本発明の「第１リブ部」の一例である。また、図６および図７では、説明の便宜上、表示モジュール１の記載を省略している。
【００２９】
ここで、図２に示すように、リアキャビネット３は、樹脂成型品であり、全体として表示モジュール１に対応する矩形形状に形成されている。また、リアキャビネットは、後方側（Ｙ２方向側）に背面部３１と、前方側（Ｙ１方向側）に背面部３１に接続される側面部３４とを有している。また、リアキャビネット３には、背面部３１に、フロントキャビネット２の額縁部２１側から奥行き方向（Ｙ２方向）に向かうにつれて内側に傾斜する傾斜部３１ｂが設けられている。また、リアキャビネット３の傾斜部３１ｂは、背面部３１の下辺を除く３辺に、それぞれ設けられている。また、リアキャビネット３は、後方（Ｙ２方向）から見て、フロントキャビネット２の突出部２３に対応する位置に、フロントキャビネット２の突出部２３が挿入されるとともに、フロントキャビネット２の突出部２３の係合部２３ｂが係合する貫通孔３２を含んでいる。
【００３０】
また、リアキャビネット３の貫通孔３２は、側面（Ｚ１方向側）から見た場合において、矩形形状（図５参照）を有しており、上辺側は上下方向（Ｚ方向）に、左右横方向側は横方向（Ｘ方向）に延びるように形成されている。また、リアキャビネット３の貫通孔３２は、傾斜部３１ｂ上に設けられている。また、貫通孔３２は、傾斜した傾斜部３１ｂを内方向（Ｘ方向）に貫通することにより形成されている。これにより、貫通孔３２の内面３２ａは、外側表面３１ｃの延びる方向とは異なる内方向（Ｘ方向）に沿って延びるように形成されている。また、リアキャビネット３の貫通孔３２は、フロントキャビネット２のリブ部２３ｅにより内側から覆われるよう構成されている。
【００３１】
また、図６に示すように、フロントキャビネット２のリブ部２３ｅは、リアキャビネット３の内側表面３１ａに当接することにより、フロントキャビネット２の係合部２３ｂの傾斜した面２３ｃと、リアキャビネット３の貫通孔３２の周囲の外側表面３１ｃとが略面一となるように位置決め可能に構成されている。また、リアキャビネット３の外側表面３１ｃとフロントキャビネット２の傾斜した面２３ｃとには、同様のシボ加工（図示せず）が施されている。
【００３２】
また、図５（図２の符号Ｑの部分を後方（Ｙ２方向）から見た図である）および図６に示すように、フロントキャビネット２の突出部２３の係合部２３ｂは、面２３ｃによりリアキャビネット３の貫通孔３２を略塞ぐように構成されている。具体的には、後方（Ｙ２方向）から見て、係合部２３ｂの面２３ｃは、貫通孔３２よりも僅かに小さく形成されている。このように、面２３ｃを僅かに小さく形成するのは、係合部２３ｂの後方側（Ｙ２方向側）の部分が、リアキャビネット３の傾斜部３１ｂ上に乗り上げてしまい、係合を解除する際の面２３ｃの押圧による係合部２３ｂの移動を妨げないようにするためである。また、面２３ｃが貫通孔３２よりも僅かに小さく形成されることにより、面２３ｃと貫通孔３２との間には隙間４０が形成されている。この隙間４０により、テレビジョン装置１００は、係合状態において、貫通孔３２を通して内側が覗けるように構成されている。また、リアキャビネット３の貫通孔３２は、フロントキャビネット２のリブ部２３ｅにより内側から覆われることにより、隙間４０が塞がれるように構成されている。
【００３３】
ここで、第１実施形態では、図６に示すように、リアキャビネット３の貫通孔３２は、前方側（Ｙ１方向側）の内面３２ａにフロントキャビネット２の突出部２３の係合部２３ｂが係合するように構成されている。
【００３４】
また、リアキャビネット３は、内側表面３１ａから貫通孔３２の内面３２ａと連結するように突出して延びる当接面３３ａを有するリブ部３３を有している。また、フロントキャビネット２の突出部２３の係合部２３ｂは、リアキャビネット３の貫通孔３２の内面３２ａとリブ部３３の当接面３３ａとにより構成された被係合面に係合するように構成されている。また、外方向側においてリアキャビネット３の背面部３１に接続される側面部３４は、前方側（Ｙ１方向側）端部においてフロントキャビネット２の外縁部２２と当接した状態で係合するように構成されている。また、図示しないがリブ部３３は、上下方向（Ｚ方向）が厚み方向となる平板状に形成されている。なお、リブ部３３は、本発明の「第２リブ部」の一例である。
【００３５】
また、フロントキャビネット２の突出部２３の係合部２３ｂは、リアキャビネット３の貫通孔３２に挿入されるとともに、貫通孔３２を介してテレビジョン装置１００の外側に露出された係合部２３ｂの面２３ｃが内方向に押圧されることにより、フロントキャビネット２の突出部２３の係合部２３ｂとリアキャビネット３の内面３２ａとの係合を解除可能に構成されている。具体的には、図２および図７に示すように、フロントキャビネット２の突出部２３の係合部２３ｂは、リアキャビネット３の背面部３１に露出する矩形状の複数の面２３ｃをそれぞれ内方向に押圧することにより、リアキャビネット３の内面３２ａおよび当接面３３ａとの係合を解除可能に構成されている。また、フロントキャビネット２とリアキャビネット３とは、ねじ（図示せず）により、下辺側（スタンド部材４側）において螺合されて、互いに固定されるように構成されている。これにより、フロントキャビネット２とリアキャビネット３とは、係合状態が安定して維持されている。
【００３６】
次に、図６および図７を参照して、フロントキャビネット２からリアキャビネット３を取り外すリワーク作業の手順について説明する。
【００３７】
リワーク作業は、フロントキャビネット２の係合部２３ｂとリアキャビネット３の被係合面（貫通孔３２の内面３２ａおよびリブ部３３の当接面３３ａ）との１１カ所の係合を少しずつ解除していくことにより行われる。たとえば、まず、フロントキャビネット２とリアキャビネット３との下辺側において螺合されたねじ（図示せず）を取り外す。次に、互いに近接するＸ２方向側の係合部２３ｂおよび上辺側の係合部２３ｂを内方向に押圧する。そして、係合が解除されたならば、解除した係合部２３ｂ近傍のリアキャビネット３の一部をフロントキャビネット２から離間させる。この際、リアキャビネット３およびフロントキャビネット２は、僅かに弾性変形した状態となる。そして、この弾性変形した状態を保持しながら、係合を解除した係合部２３ｂの周囲の係合部２３ｂの係合を順次解除していくことにより、フロントキャビネット２からリアキャビネット３が取り外される。
【００３８】
第１実施形態では、以下のような効果を得ることができる。
【００３９】
第１実施形態では、上記のように、フロントキャビネット２の係合部２３ｂを有する突出部２３を、フロントキャビネット２の外縁部２２から液晶セル１１側の内方向に離間した額縁部２１の位置から奥行き方向（Ｙ方向）に延びるように設け、フロントキャビネット２の突出部２３の係合部２３ｂを、貫通孔３２内に挿入されるとともに、貫通孔３２を介して外側に露出された係合部２３ｂが押圧されることにより、フロントキャビネット２の突出部２３の係合部２３ｂとリアキャビネット３の貫通孔３２との係合を解除可能なように構成することによって、突出部２３が外縁部２２から液晶セル１１側の内方向に離間した額縁部２１の位置から奥行き方向（Ｙ２方向）に延びるので、リアキャビネット３の側方側ではなく、奥行き方向側（表示装置の後方側）に全ての貫通孔３２を配置することができる。これにより、作業者がリアキャビネット３の後方側から容易にフロントキャビネット２の突出部２３の係合部２３ｂの位置を目視により把握しつつ係合解除作業を行うことができるので、係合を解除するリワーク作業を容易に行うことができる。
【００４０】
また、第１実施形態では、上記のように、フロントキャビネット２の突出部２３を、奥行き方向（Ｙ２方向）に延びるように形成し、奥行き方向に直交する内方向に撓み変形可能なように構成する。これにより、フロントキャビネット２の突出部２３を奥行き方向と直交する方向に押圧して撓み変形させることにより、容易に、フロントキャビネット２の突出部２３の係合部２３ｂとリアキャビネット３の貫通孔３２との係合を解除することができる。
【００４１】
また、第１実施形態では、上記のように、リアキャビネット３にフロントキャビネット２の額縁部２１側から奥行き方向（Ｙ２方向）に向かうにつれて内側に傾斜する傾斜部３１ｂを設けるとともに、傾斜部３１ｂに貫通孔３２を設ける。これにより、作業者がリアキャビネット３の背面側から突出部２３の先端を視認可能な状態にしながら、作業者が奥行き方向と直交する方向からフロントキャビネット２の突出部２３の係合部２３ｂの面２３ｃを押圧し易くすることができる。
【００４２】
また、第１実施形態では、上記のように、フロントキャビネット２の突出部２３に、リアキャビネット３の背面部３１の内側表面３１ａに沿って延びるリブ部２３ｅを設け、リブ部２３ｅによって、リアキャビネット３の貫通孔３２を内側から覆うように突出部２３を構成する。これにより、リアキャビネット３の貫通孔３２がリブ部２３ｅによって、内側から覆われるので、貫通孔３２を介したテレビジョン装置１００の内部からの光漏れや、テレビジョン装置１００の外部からのごみの侵入を防止することができる。
【００４３】
また、第１実施形態では、上記のように、フロントキャビネット２のリブ部２３ｅを、リアキャビネット３の内側表面３１ａに当接することにより、フロントキャビネット２の突出部２３の係合部２３ｂの面２３ｃとリアキャビネット３の貫通孔３２の周囲の外側表面３１ｃとが略面一となるように位置決め可能に構成する。これにより、フロントキャビネット２の突出部２３の係合部２３ｂの面２３ｃとリアキャビネット３の貫通孔３２の周囲の外側表面３１ｃとが略面一となるので、段差が発生するのを抑制することができる。
【００４４】
また、第１実施形態では、上記のように、フロントキャビネット２の突出部２３の係合部２３ｂを、リアキャビネット３の貫通孔３２を略塞ぐように構成する。これにより、フロントキャビネット２の突出部２３の係合部２３ｂによって、リアキャビネット３の貫通孔３２が外側から略塞がれるので、貫通孔３２を介したテレビジョン装置１００の内部からの光漏れや、テレビジョン装置１００の外部からのごみの侵入を抑制することができる。
【００４５】
また、第１実施形態では、上記のように、リアキャビネット３の貫通孔３２の内面３２ａを被係合部とし、リアキャビネット３の貫通孔３２の内面３２ａからなる貫通孔３２に係合する部分をフロントキャビネット２の係合部２３ｂとする。これにより、被係合部を貫通孔３２の内面３２ａとし、貫通孔３２に係合する係合部２３ｂをフロントキャビネット２の突出部２３の係合部２３ｂとする簡易な構成で、リワーク作業を容易に行うことができる。
【００４６】
また、第１実施形態では、上記のように、リアキャビネット３に、内側表面３１ａから貫通孔３２の内面３２ａと連結するように突出して延びる当接面３３ａを有するリブ部３３を設け、フロントキャビネット２の突出部２３の係合部２３ｂを、リアキャビネット３の貫通孔３２の内面３２ａとリブ部３３の当接面３３ａとにより構成された被係合部に係合するように構成する。これにより、リアキャビネット３の貫通孔３２の内面３２ａだけでなく、リブ部３３の当接面３３ａにもフロントキャビネット２の突出部２３の係合部２３ｂが係合するので、より大きな係り量を確保することができ、その結果、係合状態を安定させることができる。
【００４７】
（第２実施形態）
次に、図８および図９を参照して、第２実施形態について説明する。この第２実施形態では、フロントキャビネット２の係合部２３ａを突出部２３の先端部に設けた上記第１実施形態と異なり、フロントキャビネット２０２の孔部２２５（係合部）を突出部２２３の先端部よりも手前側（額縁部２１側）に設けた例について説明する。なお、上記第１実施形態と同様の構成は、第１実施形態と同じ符号を付して図示するとともに説明を省略する。また、図９では、説明の便宜上、表示モジュール１の記載を省略している。
【００４８】
第２実施形態による、図８および図９に示すように、フロントキャビネット２０２の突出部２２３には、平板部２２３ａの中央において側方（厚み方向）に貫通した矩形状の孔部２２５が設けられている。また、図９に示すように、リアキャビネット２０３のＸ２方向側の側面部２３４には、奥行き方向（Ｙ方向）においてフロントキャビネット２０２の孔部２２５に対応する位置に、内方向に突出する三角形状の凸部２３５が形成されている。また、リアキャビネット２０３の背面部３１（傾斜部３１ｂ）には、奥行き方向（Ｙ方向）に延びる貫通孔２３２が設けられている。なお、孔部２２５は、本発明の「第２係合部」の一例である。また、凸部２３５は、本発明の「第２被係合部」の一例である。
【００４９】
また、リアキャビネット２０３の凸部２３５は、フロントキャビネット２０２の孔部２２５内に入り込み、凸部２３５の奥行き方向側（Ｙ２方向側）の表面と孔部２２５の奥行き方向側（Ｙ２方向側）の内面とを当接させた状態で、孔部２２５に係合するように構成されている。
【００５０】
また、フロントキャビネット２０２の突出部２２３の先端部は、リアキャビネット２０３の貫通孔２３２から露出するように構成されている。また、フロントキャビネット２０２の突出部２２３は、リアキャビネット２０３の貫通孔２３２内で、外方向側（Ｘ２方向側）に配置されるように構成されている。また、フロントキャビネット２０２の突出部２２３は、貫通孔２３２から露出する先端部分を内方向に移動させることにより、フロントキャビネット２０２の孔部２２５とリアキャビネット２０３の凸部２３５との係合を解除可能なように構成されている。
【００５１】
第２実施形態のその他の構成は、上記第１実施形態と同様である。
【００５２】
第２実施形態では、以下のような効果を得ることができる。
【００５３】
第２実施形態では、上記第１実施形態同様、フロントキャビネット２０２の孔部２２５を有する突出部２２３を、フロントキャビネット２０２の外縁部２２から液晶セル１１側の内方向に離間した額縁部２１の位置から奥行き方向（Ｙ方向）に延びるように設け、フロントキャビネット２０２の突出部２２３の孔部２２５を、凸部２３５に挿入させるとともに、貫通孔２３２を介して外側に露出された突出部２２３が押圧されることにより、フロントキャビネット２０２の突出部２２３の孔部２２５とリアキャビネット２０３の凸部２３５との係合を解除可能なように構成することによって、作業者がリアキャビネット２０３の後方側から容易にフロントキャビネット２０２の突出部２２３の係合する孔部２２５の位置を目視により把握しつつ係合解除作業を行うことができるので、係合を解除するリワーク作業を容易に行うことができる。
【００５４】
また、第２実施形態では、上記のように、リアキャビネット２０３の側面部２３４から液晶セル１１側の内方向に突出する部分を凸部２３５とし、リアキャビネット２０３の凸部２３５に係合する孔状の部分を孔部２２５とする。これにより、凸部２３５をリアキャビネット２０３の側面部２３４から液晶セル１１側の内方向に突出させ、凸部２３５に係合する部分を孔部２２５とする簡易な構成で、リワーク作業を容易に行うことができる。
【００５５】
第２実施形態のその他の効果は、上記第１実施形態と同様である。
【００５６】
（第３実施形態）
次に、図１０を参照して、第３実施形態について説明する。この第３実施形態では、第１実施形態で示した突出部２３のリブ部２３ｅに相当する構成を有さない上記第２実施形態とは異なり、リブ部３２３ｅを有する例について説明する。なお、図１０では、説明の便宜上、表示モジュール１の記載を省略している。
【００５７】
第３実施形態による、フロントキャビネット３０２の突出部３２３は、奥行き方向側（Ｙ２方向側）の先端部近傍にリアキャビネット２０３の背面部３１の内側表面３１ａに沿って延びるリブ部３２３ｅを有している。フロントキャビネット３０２のリブ部３２３ｅは、外側（外側表面３１ｃ側）において貫通孔２３２の突出部３２３により覆われていない部分に形成される隙間３４０を内側（内側表面３１ａ側）から覆うように構成されている。
【００５８】
第３実施形態のその他の構成は、上記第１実施形態と同様である。
【００５９】
第３実施形態では、以下のような効果を得ることができる。
【００６０】
第３実施形態では、上記第２実施形態同様、フロントキャビネット３０２の孔部２２５を有する突出部３２３を、フロントキャビネット３０２の外縁部２２から液晶セル１１側の内方向に離間した額縁部２１の位置から奥行き方向（Ｙ方向）に延びるように設け、フロントキャビネット３０２の突出部３２３の孔部２２５を、凸部２３５に挿入させるとともに、貫通孔２３２を介して外側に露出された突出部３２３が押圧されることにより、フロントキャビネット３０２の突出部３２３の孔部２２５とリアキャビネット２０３の凸部２３５との係合を解除可能なように構成することによって、作業者がリアキャビネット２０３の後方側から容易にフロントキャビネット３０２の突出部３２３の係合する孔部２２５の位置を把握しつつ係合解除作業を行うことができるので、係合を解除するリワーク作業を容易に行うことができる。
【００６１】
また、第３実施形態では、上記のように、フロントキャビネット３０２の孔部２２５を有する突出部３２３を、フロントキャビネット３０２の外縁部２２から液晶セル１１側の内方向に離間した額縁部２１の位置から奥行き方向（Ｙ方向）に延びるように設け、フロントキャビネット３０２の突出部３２３の孔部２２５を、凸部２３５に挿入させるとともに、貫通孔２３２を介して外側に露出された突出部３２３が押圧されることにより、フロントキャビネット３０２の突出部３２３の孔部２２５とリアキャビネット２０３の凸部２３５との係合を解除可能なように構成することによって、作業者がリアキャビネット２０３の後方側から容易にフロントキャビネット３０２の突出部３２３の係合部２３ｂの位置を目視により把握しつつ係合解除作業を行うことができるので、係合を解除するリワーク作業を容易に行うことができる。
【００６２】
第３実施形態のその他の効果は、上記第１実施形態と同様である。
【００６３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６４】
たとえば、上記第１〜第３実施形態では、テレビジョン装置に本発明を適用した例を示したが、テレビジョン装置以外の表示装置に本発明を適用してもよい。
【００６５】
また、上記第１〜第３実施形態では、フロントキャビネットの突出部を額縁部の下辺を除く３辺に設ける例について示したが、本発明はこれに限られない。たとえば本発明では、フロントキャビネットの突出部を額縁部の下辺を含む４辺に設けてもよい。
【００６６】
また、上記第１〜第３実施形態では、フロントキャビネットの突出部を額縁部の上辺に５つ、左右横方向にそれぞれ３つずつ設ける例について示したが、本発明はこれに限られない。たとえば、本発明では、フロントキャビネットの突出部を額縁部の上辺に６つ、左右横方向にそれぞれ４つずつ設けてもよい。
【００６７】
また、上記第１〜第３実施形態では、フロントキャビネットとリアキャビネットとの下辺をねじにより螺合させる例について示したが、本発明はこれに限られない。本発明では、たとえば、フロントキャビネットとリアキャビネットとの下辺をねじにより螺合させなくてもよい。
【００６８】
また、上記第１実施形態では、フロントキャビネットの突出部（係合部）の傾斜した面とその周囲のリアキャビネットの外側表面とが面一となる例について示したが、本発明はこれに限られない。本発明では、たとえば、フロントキャビネットの突出部の傾斜した面が僅かに窪むように構成してもよい。これにより、作業者がフロントキャビネットの突出部の位置を容易に把握することができる。
【００６９】
また、上記第１実施形態では、フロントキャビネットの先端部の係合部がリアキャビネットの貫通孔を略塞ぐ例について示したが、本発明はこれに限られない。本発明では、たとえば、係合部の移動を滑らかにするために、フロントキャビネットの先端部の係合部とリアキャビネットの貫通孔との間に隙間を持たせてもよい。
【００７０】
また、上記第１実施形態では、フロントキャビネットの係合部がリアキャビネットの貫通孔の内面とリブ部の当接面とに係合する例について示したが、本発明はこれに限られない。本発明では、たとえば、リアキャビネットがリブ部を有さずに、フロントキャビネットの係合部がリアキャビネットの貫通孔の内面にのみ係合するようにしてもよい。
【符号の説明】
【００７１】
２、２０２、３０２  フロントキャビネット
３、２０３  リアキャビネット
１１  液晶セル（表示部）
２１  額縁部
２２  外縁部
２３、２２３、３２３  突出部
２３ｂ  係合部
２３ｅ、３２３ｅ  リブ部（第１リブ部）
３１  背面部
３２  貫通孔
３３  リブ部（第２リブ部）
３３ａ  当接面
３４、２３４  側面部
１００  テレビジョン装置（表示装置）
２２５  孔部（第２係合部）
２３５  凸部（第２被係合部）
【図１】
2015149653.tif 000003
【図２】
2015149653.tif 000004
【図３】
2015149653.tif 000005
【図４】
2015149653.tif 000006
【図５】
2015149653.tif 000007
【図６】
2015149653.tif 000008
【図７】
2015149653.tif 000009
【図８】
2015149653.tif 000010
【図９】
2015149653.tif 000011
【図１０】
2015149653.tif 000012